(57)【要約】【課題】排水流入口１３の設計の自由度を高めるとともに、封水領域１９内の清掃を容易にすることができる排水トラップ装置１を提供する。【解決手段】排水トラップ装置１は、シンク２に設けられた集水開口５に固定され排水の流入を受け入れる排水口３と、前記排水口３とは別の排水流路からの排水の流入を受け入れる排水流入口１３と、排水を排出する排出口１５と、を備えた有底の排水器本体６と、該排水器本体６の内側に収納されて、排水を貯水する椀状の封水椀７と、上端が前記排水器本体６の内周面に固定されつつ、前記封水椀７に流水間隔をあけて嵌挿される防臭筒８と、を備える排水トラップ装置１であって、前記封水椀７は前記排水流入口１３に水密的に且つ着脱自在に連通する連通口１６を備える。【選択図】図１
2011094304.tif 000002
【特許請求の範囲】
【請求項１】
集水部に設けられた集水開口に固定され排水の流入を受け入れる排水口と、前記排水口とは別の排水流路からの排水の流入を受け入れる排水流入口と、排水を排出する排出口と、を備えた有底の排水器本体と、
該排水器本体の内側に収納されて、排水を貯水する椀状の封水椀と、
上端が前記排水器本体の内周面に固定されつつ、前記封水椀に流水間隔をあけて嵌挿される防臭筒と、を備える排水トラップ装置であって、
前記封水椀は前記排水流入口に水密的に且つ着脱自在に連通する連通口を備えることを特徴とする排水トラップ装置。
【請求項２】
前記排水流入口は、前記排水器本体の側面に形成されることを特徴とする請求項１に記載の排水トラップ装置。
【請求項３】
前記排水流入口は、前記排水器本体の底面に形成されることを特徴とする請求項１に記載の排水トラップ装置。
【請求項４】
前記排出口は、少なくともその一部が前記排水器本体の底面に形成されることを特徴とする請求項１から請求項３のいずれかに記載の排水トラップ装置。
【請求項５】
前記排水器本体は、前記排水口の周縁にフランジを設けるとともに、当該フランジの下方の外周面に雄ネジが形成されており、前記集水開口の周縁を、前記フランジと、前記雄ネジに締結するナット部材とで挟着することにより固定されることを特徴とする請求項１から請求項４のいずれかに記載の排水トラップ装置。
【発明の詳細な説明】
【技術分野】
【０００１】
本発明は、排水トラップ装置に関し、特に、上端に形成された排水口から排水の流入を受け入れるとともに、別系統の排水流路からの排水の流入を受け入れる排水流入口を供える椀形排水トラップに関する。
【背景技術】
【０００２】
従来より台所のシンク、洗面台の洗面ボール、浴槽、洗濯パン等の排水口には、排水管からの臭気、害虫の放散を防止するために排水トラップ装置が設けられている。このような排水トラップ装置としては、パイプの一部をＵ字に湾曲させて排水の一部を封水として貯留するＰ形排水トラップと、排水口から流入した排水を受ける封水椀及び下端がこの封水椀の内部に嵌挿される防臭筒により構成される椀形排水トラップと、が挙げられる。
【０００３】
このような排水トラップ装置においては、例えば通常の排水を受ける排水口のほかに、シンクや洗面ボール内の水が溢れ出ることを防止するためのオーバーフロー口から受け入れた排水の流入を受け入れる排水流入口を設けたものが種々実施されている。
【０００４】
このような排水口とは別系統の排水流路からの排水の流入を受け入れる排水トラップ装置の例としては、例えば、図７（Ａ）に示すように、上端にストレーナ１０１を設けた排水口１０２が形成されるとともに、上部側面に別系統の排水流路からの排水を受け入れる排水流入口１０３を設けられており、下部には椀形状であって、排水を一時的に貯留する封水椀１０４と、下端がこの封水椀１０４内に嵌挿される防臭筒１０５と、により形成された封水領域１０６を有しており、この封水領域１０６から溢れ出た排水を下流の排水管１０７に流下させる排出口を設けた排水トラップ装置１００が公開されている（例えば、特許文献１及び特許文献２）。この排水トラップ装置は、排水口１０２及び排水流入口１０３が受け入れた排水をいずれも防臭筒１０５内部を通して封水椀１０４内に導き、封水椀１０４に排水を貯留することで封水領域１０６を形成している。
【０００５】
また、排水口とは別系統の排水流路からの排水の流入を受け入れる排水トラップ装置の別の例としては、例えば、図７（Ｂ）に示すように、浴槽排水を受け入れる第１の排水口２０１と、洗い場排水を受け入れる第２の排水口２０２が設けられており、第２の排水口２０２の直下には、上端が排水器本体２０３の内面に固定された防臭筒２０４と、この防臭筒２０４の下端が嵌挿され、排水器本体２０３と一体形成された封水椀２０５が設けられた排水トラップ装置２００が開示されている。この封水椀の側面下端には、第１の排水口から流下する排水を導水する枝管が接続されており、第１の排水口２０１から枝管２０６を通って封水椀２０５内に流入した排水及び第２の排水口２０２から防臭筒２０４内を通って封水椀２０５に流れ込んだ排水が封水椀２０５内に貯留することで封水領域２０７を形成している（例えば、特許文献３）。
【先行技術文献】
【特許文献】
【０００６】
【特許文献１】実開昭５８−４２２８１号公報
【特許文献２】特開２０００−２７３９３０号公報
【特許文献３】特開２００８−８８８０８号公報
【発明の開示】
【発明が解決しようとする課題】
【０００７】
ところで、図７（Ａ）のような排水トラップ装置１００においては、防臭筒１０５の上端よりも上側に排水流入口１０３を形成する必要があるため、排水流入口１０３の位置を自由に設計することができず、排水トラップ装置１００の全高を低く抑えたい場合や排水流入口１０３に連通する枝管の位置によっては設置が困難となる虞がある。また、図７（Ｂ）のような排水トラップ装置２００は、封水椀２０５を排水器本体２０３から取り外すことができないので、封水領域２０７を清掃する際に不便である。特に封水椀２０５内には封水が貯留した状態のまま清掃する必要があるため、清掃作業はより困難なものとなる。
【０００８】
そこで、本発明は、排水流入口の設計の自由度を高めるとともに、封水領域内の清掃を容易にすることができる排水トラップ装置を提供することを目的とする。
【課題を解決するための手段】
【０００９】
上記の目的を達成するために、請求項１に記載の排水トラップ装置は、集水部に設けられた集水開口に固定され排水の流入を受け入れる排水口と、前記排水口とは別の排水流路からの排水の流入を受け入れる排水流入口と、排水を排出する排出口と、を備えた有底の排水器本体と、該排水器本体の内側に収納されて、排水を貯水する椀状の封水椀と、上端が前記排水器本体の内周面に固定されつつ、前記封水椀に流水間隔をあけて嵌挿される防臭筒と、を備える排水トラップ装置であって、前記封水椀は前記排水流入口に水密的に且つ着脱自在に連通する連通口を備えることを特徴としている。
【００１０】
なお、ここで「集水部」は、居住空間で使用した主に水道水を受けて、排水口から排水として下水側に排出する槽状の部分をいい、具体的には、台所のシンク、洗面台の洗面ボール、浴室の浴槽、浴室の洗い場、及び洗濯パンが例示される。
【００１１】
請求項２に記載の排水トラップ装置は、前記排水流入口は、前記排水器本体の側面に形成されることを特徴としている。
【００１２】
請求項３に記載の排水トラップ装置は、前記排水流入口は、前記排水器本体の底面に形成されることを特徴としている。
【００１３】
請求項４に記載の排水トラップ装置は、前記排出口は、少なくともその一部が前記排水器本体の底面に形成されることを特徴としている。
【００１４】
請求項５に記載の排水トラップ装置は、前記排水器本体は、前記排水口の周縁にフランジを設けるとともに、当該フランジの下方の外周面に雄ネジが形成されており、前記集水開口の周縁を、前記フランジと、前記雄ネジに締結するナット部材とで挟着することにより固定されることを特徴としている。
【発明の効果】
【００１５】
請求項１に記載の排水トラップ装置によれば、封水椀に形成された連通口が排水流入口に水密的に、且つ着脱自在に連通するので、排水流入口が受け入れる排水は連通口を通って直接封水椀内に導水される。したがって、排水流入口の位置は、必要な封水深を確保できる位置であれば、排水器本体の底面又は側面のいずれに形成されるものであっても良く、設計の自由度を高めることができる。また、排水器本体が封水椀と別に形成されているので、排水器本体に設けられる排水口の高さ位置で封水深を確保する必要がなく、排水口を形成する位置の設計の自由度を高めることができる。さらに、連通口が排水流入口に対して着脱自在であるので、封水領域を掃除する際には、封水椀を排水トラップ本体から取り外すことができ、より簡単に掃除することができる。
【００１６】
請求項２に記載の排水トラップ装置によれば、排水流入口は、排水器本体の側面に形成されるので、排水トラップ装置の全高を低くすることができる。
【００１７】
請求項３に記載の排水トラップ装置によれば、排水流入口は、前記排水器本体の底面に形成されるので、この排水流入口に水密的に連通する連通口もまた封水椀の底面に形成されることになる。したがって、封水椀を設置する際に上方から口の排水流入位置が見え易く、封水椀の連通口を容易に位置決めして設置することができる。また、連通口が封水椀の底面に形成されることで、封水領域を掃除する際に、この封水椀を取りはずすと、封水椀内に貯留した排水が連通口から封水椀の下方に排出されるので、封水椀内の排水をきわめて簡単に排出することができ、より容易に掃除することができる。
【００１８】
請求項４に記載の排水トラップ装置によれば、排出口は、少なくともその一部が排水器本体の底面に形成されるので、清掃する際に排水器本体内にも水が貯留する虞がなく、排水器本体もより容易に清掃することができる。
【００１９】
請求項５に記載の排水トラップ装置によれば、排水器本体は、集水開口の周縁をフランジとナット部材とで挟着することにより固定されるので、排水器本体を集水開口に嵌め込んだ状態で、集水部の下側からナット部材の締め付け作業をするだけで、排水器本体を設置することができる。このとき、排水器本体も集水部の下側から把持することができるので、集水部の下側から作業者が排水器本体を把持した状態でナット部材を締め付けることができ、集水部の上側からは保持する必要がないので、極めて簡単に排水器本体の設置作業をすることができる。
【図面の簡単な説明】
【００２０】
【図１】第１の実施形態の排水トラップ装置の全体構成を説明する一部省略断面図。
【図２】（Ａ）は、ロックナットにより排水器本体を集水開口に取り付ける作業を示す断面図であり、（Ｂ）は、排水器本体に、封水椀、防臭筒、オーバーフロー管、及び排水管を取り付ける状態を説明する断面図。
【図３】清掃のために封水椀を排水器本体から取り外した状態を説明する断面図。
【図４】第１の実施形態の別の実施例に係る排水トラップ装置の構成を説明する一部省略断面図。
【図５】排水器本体の側面部に排水流入口および排出口を形成した第２の実施形態の排水トラップ装置の全体構成を説明する一部省略断面図。
【図６】排水器本体の底部に排水流入口および排出口を形成した実施形態の排水トラップ装置の全体構成を説明する一部省略断面図。
【図７】従来の排水トラップ装置の例を示す断面図。
【発明を実施するための最良の形態】
【００２１】
〔第１の実施形態〕
以下、図１から図４を参照しつつ、本発明の排水トラップ装置の第１の実施形態について説明する。本実施形態の排水トラップ装置１は、台所のシンク２、洗面台の洗面ボール、浴室の浴槽、浴室の洗い場、及び洗濯パンなどに設置され、排水口３から排水を受け入れて、受け入れた排水をトラップを介して下流の排水管４に排出するものである。本実施形態においては台所のシンク２に設置されるものを例に説明する。このシンク２は、例えばステンレスで形成されており、底面に排水口３を設置するための集水開口５が形成されるとともに、図示しないが、側面にオーバーフロー口が形成されている。そして、排水トラップ装置１は、図１に示すように、底部６１を有する円筒状の排水器本体６と、この排水器本体６内部に収納される封水椀７と、この封水椀７の内部に嵌挿される防臭筒８と、により形成されている。
【００２２】
排水器本体６は例えば樹脂により形成されており、上端に円形開口である排水口３を有し、この排水口３の周縁には、外周方向に広がるフランジ９が設けられている。そして、このフランジ９からやや下側の排水器本体６の外周面には、雄ネジ部１０が形成されている。この雄ネジ部１０にはロックナット１１が螺着しており、例えばシンク２の底面に円形に形成された集水開口５の周縁をフランジ９及びロックナット１１で挟んで、ロックナット１１を締めることにより、排水器本体６を集水開口５に固定する。また、この排水口３を覆うように、ストレーナ１２が設けられており、シンク２から排水口３に流入する排水に含まれるゴミなどの異物を漉し取る。
【００２３】
排水器本体６の底部６１中央には、排水口３とは別の排水流路からの排水の流入を受け入れる排水流入口１３が形成されている。この排水流入口１３は、排水器本体６の底部６１中央から水平方向に湾曲した短いエルボ管状に形成されており、その先端はシンク２の側面に設けられた図示しないオーバーフロー口から受け入れた排水を流下させるオーバーフロー管１４が連通している。また、排水器本体６の底部６１周縁には、側面部６２及び底部６１に掛かるように排出口１５が形成されている。この排出口１５は、やや短い管状に形成されており、底部６１周縁から下方に傾斜して、その下流にある排水管４に連通している。
【００２４】
封水椀７は、排水器本体６内部に収納されて、排水を貯留する有底円筒形状の樹脂体である。この封水椀７の底部７１には、下方に向かって短く突き出した管状の連通口１６が設けられている。連通口１６はその先端近傍に例えばゴムなどの弾性体で形成されたＯリング１７が外嵌されており、その外径が排水器本体６の底面に形成された排水流入口１３の内径とほぼ等しく形成されている。そして、この連通口１６を排水器本体６の内側から排水流入口１３に挿し込んで、Ｏリング１７により排水流入口１３と連通口１６とを水密的に連通している。
【００２５】
防臭筒８は、その上部８１が漏斗状に広がって形成されており、排水器本体６の上部内周面に形成された雌ネジ１８に螺着される雄ネジ状の固定部８３を形成している。そして、防臭筒８の下部８２は防臭筒８に流水間隔を開けて嵌挿される円筒状に形成されている。
【００２６】
以上のように形成される排水トラップ装置１おいて、シンク２から排水口３を通って流入した排水は、防臭筒８の上部８１に案内されて、円筒状の防臭筒８下部８２の内部に侵入し、封水椀７内に貯留される。また、図示しないオーバーフロー口から流入した排水は、オーバーフロー管１４を流下して、排水器本体６の排水流入口１３から封水椀７の底部７１に形成された連通口１６を通って封水椀７内に侵入する。そして、排水口３又はオーバーフロー口から封水椀７の上端レベル以上の排水が流入すると、封水椀７内に貯留した排水は、封水椀７の上端から排水が溢れて排出口１５に排水器本体６の底部６１周縁に設けられた排出口１５に流出し、この排出口１５を通って下流側の排水管４に流下する。このように排水口３及びオーバーフロー口から、下流側の排水管４に流れる排水流路上には、常時排水が貯留した封水領域１９が介在されているので、排水管４の下流から侵入する悪臭や害虫が排水口３やオーバーフロー口側に侵入することはなく、居住空間に放出されることはない。
【００２７】
次に、本実施形態の排水トラップ装置１を設置する作業について説明する。まず、図２（Ａ）に示すように、シンク２の上側からシンク２の底面に形成された集水開口５に排水器本体６を挿入して、排水器本体６の排水口３の周縁に形成されたフランジ９を集水開口５の周縁に載置する。そして、排水器本体６の排出口１５側からリング状のロックナット１１を外挿させて、このロックナット１１をフランジ９の下側に形成された雄ネジ部１０に締結させてフランジ９とロックナット１１とで集水開口５の周縁を挟持する。排出口１５の位置が排水器本体６の側面部６２から側方に突出するように形成すると、リング状のロックナット１１が排出口１５に引っ掛かることになるため、排水器本体６と集水開口５との固定を、ロックナット１１により行うことができないが、本実施形態のように、少なくとも排出口１５の一部が排水器本体６の底面に形成されていることで、排出口１５側からリング状のロックナット１１を外挿させることにより、排出口１５にロックナット１１が引っ掛かることないので、ロックナット１１で固定する方式を採用することができる。
【００２８】
そして次に、図２（Ｂ）に示すように、排水器本体６の排水流入口１３にオーバーフロー管１４の先端を挿入して連通させる。このオーバーフロー管１４の先端近傍にもゴム製Ｏリングからなるパッキンを取り付けており連結部の水密性を保持している。また、排水器本体６の排出口１５に排水管４の一端を挿入しフランジ継手により固定する。さらに、シンク２の上側から排水口３を通して排水器本体６内部に封水椀７を挿入する。そして、この封水椀７の底部７１の中央に形成されている連通口１６を排水器本体６の排水流入口１３に挿入して固定する。排水流入口１３は排水器本体６の底部６１に形成されており、連通口１６は封水椀７の底部７１に形成されているので、封水椀７を上方から挿入したときに連通口１６の位置が見え易く、連通口１６の位置決めがしやすくなり、封水椀７の取り付け作業をより容易に行うことができる。封水椀７を取り付けると、次に、排水口３から防臭筒８をその下部８２が封水椀７内に嵌挿されるように挿入し、防臭筒８の上部８１に設けられた固定部８３を排水器本体６の内周面に形成された雌ネジ１８に螺着させて、排水口３にストレーナ１２を載置して、排水トラップ装置１を完成させる。
【００２９】
本実施形態の排水トラップ装置１を清掃する際には、ストレーナ１２及び防臭筒８を取り外した後、図３に示すように、封水椀７を排水器本体６から取り外す。封水椀７にはその底部７１に連通口１６が開口しているので、封水椀７を取り外すために、連通口１６を排水流入口１３から引き抜くと、封水椀７内に貯留していた排水は連通口１６から排水器本体６の底面側に排出される。そして、流れ出た排水は排水器本体６の底面に掛かるように形成された排出口１５を介して、下流の排水管４に排出される。このように封水椀７が排水器本体６に対して着脱自在に構成されており、単に封水椀７を排水器本体６から取り外すだけで、封水椀７内に貯留された排水を排出することができるので、極めて簡単に封水椀７を清掃することができる。
【００３０】
なお、本実施形態においては、シンク２の集水開口５に排水器本体６の排水口３を取り付ける方法として、ロックナット１１を用いる方式を採用した。このように、ロックナット１１を用いる方式の場合、取付け作業者はシンク２の下側に潜り込んで、片手で排水器本体６を把持しつつ、もう一方の手でロックナット１１の締結をすることができるので、１人の作業者で簡単に取付け作業をすることができる利点がある。しかし、本発明の実施形態はこれに限定されるものではなく、例えば図４（Ａ）に示すように、排水器本体６の上端の内周面に雌ネジからなる取付部２０が形成されるとともに、この取付部２０に螺合する雄ネジからなる螺合部２１を備えた筒状のフランジ部材２２と、を備える構成としても良い。この構成の場合、図４（Ｂ）に示すように、フランジ部材２２のみを上方からシンク２の集水開口５に挿入して載置し、排水器本体６は、シンク２の下側からこのフランジ部材２２に形成された螺合部２１に上端内周面に形成された取付部２０を螺着させて固定する。
【００３１】
〔第２の実施形態〕
次に本発明の排水トラップ装置１の第２の実施形態について図５を参照しつつ説明する。なお、第１の実施形態と同様の構成は同一の符号を付して説明を省略する。第２の実施形態の排水トラップ装置１は、排水器本体６の側面部６２に排水流入口１３が形成されており、また、排水器本体６の側面部６２の別の部分に排出口１５が設けられている。そして、封水椀７の側面に連通口１６が設けられており、この連通口１６を排水器本体６の内側から排水流入口１３に挿入して排水流入口１３と連通口１６とを連通させる。
【００３２】
このようにして、排水流入口１３および排出口１５を排水器本体６の側面部６２に形成すると、排水器本体６の底部６１が平らに形成され、排水トラップ装置１の全高を低くすることができる。また、掃除をする際に、封水椀７を取り外すと、封水椀７内に貯留した排水は、連通口１６を通って排水器本体６の底部６１に排出されて、排出口１５から下流の排水管４に流下する。このとき、排水流入口１３に連通するオーバーフロー配管に貯留している排水も排水器本体６の底部６１に排出され、排出口１５から下流の排水管４に流下するので、排水流入口１３の清掃も行いやすい。
【００３３】
なお、排水流入口１３は、排水器本体６の側面部６２の最下端に形成されることが好ましい。すなわち、排水流入口１３の上には最低封水深として５０ｃｍの高さが必要となるが、排水流入口１３を排水器本体６の側面部６２の最下端に形成することで、この封水深を確保しやくすることができ、また排水流入口１３よりも下側に不必要な貯水領域を形成しないので、排水トラップ装置１の全高を最も低くすることができる。
【００３４】
なお、本発明の実施の形態は、本実施形態に限ることなく、本発明の思想の範囲を逸脱しない範囲で適宜変更することができることは云うまでもない。
【００３５】
例えば、本発明の排水トラップ装置１の実施形態は、上述した第１の実施形態、第２の実施形態のほかに、例えば、図６に示すように、排水器本体６の底部６１に排水流入口１３および排出口１５を設ける構成としても良い。このように形成すると、排水器本体６の側面部６２は突出する部分なく円筒状に滑らかに形成されるので、シンク２の集水開口５に排水器本体６を挿入する際や、ロックナット１１を排水器本体６に外嵌する際に、極めて容易に作業することができる。
【００３６】
また、本実施形態においては、排水流入口１３はオーバーフロー口が受け入れた排水の流入を受け入れるものとしたが、これに限定されるものではなく、例えば、排水トラップ装置１が浴室の洗い場に設置される場合は、浴槽の排水口と、排水流入口１３とを連通させて、浴槽排水を排水流入口１３に流入させる構成としても良い。
【産業上の利用可能性】
【００３７】
以上のように、本発明に掛かる排水トラップ装置１は、台所のシンク２、洗面台の洗面ボール、浴室の浴槽、浴室の洗い場、洗濯パン等の排水設備に設置する排水トラップ装置１として好適に用いることができる。
【符号の説明】
【００３８】
１    排水トラップ装置
２    シンク（集水部）
３    排水口
６    排水器本体
７    封水椀
８    防臭筒
９    フランジ
１０  雄ネジ部（雄ネジ）
１１  ロックナット（ナット部材）
１３  排水流入口
１５  排出口
１６  連通口
【図１】
2011094304.tif 000003
【図２】
2011094304.tif 000004
【図３】
2011094304.tif 000005
【図４】
2011094304.tif 000006
【図５】
2011094304.tif 000007
【図６】
2011094304.tif 000008
【図７】
2011094304.tif 000009